(57)【要約】      （修正有）【課題】温度調整体の出し入れを容易にして、温度調整体による冷却、温熱効果を迅速に発揮させ易くした抱き枕を提供する。【解決手段】抱き枕１は、少なくとも１以上の開閉機構５を有した収納部４を外面側に設け、該収納部４に温度調整体８を出し入れ可能としている。収納部４は、温度調整体８を出し入れする開口部４ａを有し、内部に、温度調整体８が収納される収納空間を有している。収納部４の開口部４ａは、開閉機構５によって開閉される。開閉機構５としては、例えば、スライドファスナーや、面ファスナー、ボタンなどが採用できる。【選択図】図１
0003185823.tif 000002
【実用新案登録請求の範囲】
【請求項１】
少なくとも１以上の開閉機構を有した収納部を外面側に設け、該収納部に温度調整体を出し入れ可能にしていることを特徴とする抱き枕。
【請求項２】
請求項１において、
前記収納部は、伸び縮み可能なポケットを構成している抱き枕。
【請求項３】
請求項１または請求項２において、
前記収納部は、示温材料を含んで構成されている抱き枕。
【請求項４】
請求項１乃至請求項３のいずれか一項において、
抱き枕は、抱き枕本体と、該抱き枕本体を収納する抱き枕カバーとにより構成され、
前記収納部は、前記抱き枕本体側か前記抱き枕カバー側のいずれかに設けられていることを特徴とする抱き枕。
【考案の詳細な説明】
【技術分野】
【０００１】
本考案は、抱き枕に関する。
【背景技術】
【０００２】
従来より、保冷剤や温熱体などの温度調整体を内部に収納した抱き枕が知られている。
例えば、下記特許文献１では、表面の開閉口から保冷剤や保温物を本体内部に出し入れできるようにした抱き枕が提案されている。図４に示すように、抱き枕１００の開閉口１０１は、ファスナーなどで開閉可能とされており、季節などに応じて、保冷剤１０２ａや保温物１０２ｂなどを抱き枕１００の内部に埋め込むように収納して使用できるようになっている。
【先行技術文献】
【特許文献】
【０００３】
【特許文献１】実用新案登録第３０８４５９９号公報
【考案の概要】
【考案が解決しようとする課題】
【０００４】
しかしながら、上記文献に係る抱き枕は、内部に温度調整体を収納して使用するものであるので、温度調整体の取り出し、取替えが容易ではなく、真夏や真冬に使用する場合、温度調整体による冷却や温熱の効果も、抱き枕を抱いた人体側に伝わり難いため、使い勝手の面で改善すべき点があった。
【０００５】
本考案は、このような事情を考慮して提案されたもので、その目的は、温度調整体の出し入れを容易にして、温度調整体による冷却、温熱効果を迅速に発揮させ易くした抱き枕を提供することにある。
【課題を解決するための手段】
【０００６】
上記目的を達成するために、本考案に係る抱き枕は、少なくとも１以上の開閉機構を有した収納部を外面側に設け、該収納部に温度調整体（発熱体や冷却体）を出し入れ可能にしていることを特徴とする。
【０００７】
本考案においては、前記収納部は、伸び縮み可能なポケットで構成されていてもよい。
また、前記収納部は、示温材料を含んで構成されていてもよい。
更に、抱き枕を、抱き枕本体と、該抱き枕本体を収納する抱き枕カバーとを組み合わせた構成にして、前記収納部を抱き枕本体側か抱き枕カバー側に設けてもよい。
【図面の簡単な説明】
【０００８】
【図１】本考案の一実施形態に係る抱き枕の一例を模式的に示す概略斜視図である。
【図２】同抱き枕の一例を模式的に示す概略分解斜視図である。
【図３】本考案の使用例を示す説明図である。
【図４】従来の抱き枕の例を示す説明図である。
【考案を実施するための形態】
【０００９】
以下に、本考案の実施の形態について、図面を参照しながら説明する。
図１及び図２は、本実施形態に係る抱き枕の一例を模式的に示す図である。
１は抱き枕、２は抱き枕本体、３は抱き枕カバー３である。
ここにおいて、抱き枕本体２は、略筒状の縦長の袋状体に弾力性を有する充填物を充填して構成されている。
充填物としては、例えば、綿やスポンジなどを用いることができ、袋状体としては、例えば、木綿などの布地を用いることができる。
抱き枕カバー３は、図２に示すように、開口部３ａを有した略筒状の袋状体とされており、この開口部３ａから抱き枕本体２の略全体を収納し、被せて使用する。抱き枕カバー３の開口部３ａを、スライドファスナーや、面ファスナー、ボタンなどの開閉機構などによって構成してもよい。また、抱き枕カバー３は、木綿などの布地で構成されたものとしてもよい。
抱き枕１の形状は、略円柱形状や、通常の枕を長く引き伸ばしたような扁平で断面略楕円形状、人間や動物などの形状などとしてもよい。図例では、扁平で断面略楕円形状の抱き枕１を例示しているが、そのような形状には限定されない。使用者や使用態様などに応じて、適宜の寸法にしてもよい。
【００１０】
抱き枕１は、図１に示すように、少なくとも１以上の開閉機構５を有した収納部４を外面側に設け、該収納部４に温度調整体８を出し入れ可能としている。
収納部４は、図１に示すように、温度調整体８を出し入れする開口部４ａを有し、内部に、温度調整体８が収納される収納空間を有している。
収納部４の開口部４ａは、開閉機構５によって開閉される。開閉機構５としては、例えば、スライドファスナーや、面ファスナー、ボタンなどが採用できる。
本実施形態では、収納部４は、抱き枕カバー３側に設けられている。
収納部４は、温度調整体８を出し入れ可能なように、抱き枕カバー３の外面側に設けられているが、単一のまたは複数の収納部４を、抱き枕カバー３の適宜の箇所に設けるようにしてもよい。図例では、複数（３つ）の収納部４，４，４を抱き枕カバー３の一方面側に設け、単一の収納部４を抱き枕カバー３の他方面側に設けた例を示している。
【００１１】
また、本実施形態では、収納部４は、伸び縮み可能なポケット４を構成している。
ポケット４としては、開口部を有した袋状体が、抱き枕カバー３の外面側に糊付けなどによって取り付けられたものとしてもよく、または、木綿などの布地が、開口部を有しかつ内部に収納空間を有するように抱き枕カバー３の外面側に縫い付けられて構成されたものとしてもよい。
また、本実施形態では、ポケット４には、図１に示すように、伸縮性を有するように縫い縮め６（いわゆる、シャーリング加工）が施されているが、弾性力のあるゴムなどをポケット４の外面側に縫い付けて構成されたものとしてもよい。
【００１２】
また、本実施形態では、ポケット４には、図１に示すように、示温材料を含んで構成された示温部７を、その外面側に設けている。この示温部７は、外部から視認可能なようにポケット４の外面側に設けられている。
示温材料は、特定の温度に達すると色が変化する。示温材料としては、例えば、特定の温度に達すると色が変化する顔料を含んだ示温塗料を用いて構成される。このような示温塗料としては、例えば、結晶の転移による変色を利用した冷却すれば復色する着色機構が可逆性の示温塗料を用いるようにしてもよい。また、示温塗料としては、例えば、極低温、低温、適温、高温、極高温などの温度範囲ごとに異なる色に変化するような構成とされたものを用いるようにしてもよい。
なお、本実施形態では、示温材料を含んで構成された示温部７をポケット４の一部に設けた例を示しているが、例えば、ポケット４の全体や、その外面の全体に示温塗料を塗布した構成であってもよい。
また、ポケット４に透光窓を設けて、内部を透視できるようにすれば、温度調整体の有無が容易に視認できる。
【００１３】
発熱体８ａとしては、例えば、酸化作用により発熱する鉄粉を内部に有した袋状体で構成されたものとしてもよい。この場合、この発熱体８ａを手などで揉むなどして、内部の鉄粉の酸化作用を促進させ発熱させた後、抱き枕１のポケット４に収納するようにしてもよい。このような発熱体８ａとしては、いわゆる使い捨てカイロとして市販されているものが、そのまま利用できる。
また、発熱体８ａとしては、加熱により発熱作用を有する再利用可能なゲル状物質を内部に有した袋状体などで構成するようにしてもよい。この場合、この発熱体８ａを、電磁波により水分を含んだ物体を加熱する機器（いわゆる、電子レンジなど）で加熱した後、抱き枕１のポケット４に収納するようにしてもよい。
発熱体８ａを上記のような構成とすれば、通電設備を使用する必要がないので、場所を選ばず、どこでも簡易に使用できる。
一方の冷却体８ｂとしては、例えば、冷却により冷却作用を有する再利用可能な不凍ゲル状物質を内部に有した袋状体で構成されたものとしてもよい。このような冷却体８ｂを、冷凍庫などで冷却固化させた後、抱き枕１のポケット４に収納するようにしてもよい。
このような冷却体も、いわゆる保冷剤などとして市販されているものが直接利用できる。
【００１４】
本考案によれば、抱き枕１の外面側に収納部４を設け、この収納部４に温度調整体８を出し入れ可能にしている。従って、例えば、抱き枕１の内部に温度調整体８を収納するような場合と比べて、温度調整体８の出し入れが極めて簡単であり、抱き枕１を抱いた際に、温度調整体８が人体により近接した状態となるので、より効率的に温度調整体８の効果を発揮させることができる。
このような本考案によれば、真夏や真冬などで、冷却、温熱効果を迅速に得たい場合には、抱き枕１の収納部４のある側を直接、体に触れさせることで、冷却、温熱効果を迅速に発揮することができる。
一方、緩やかな冷却、温熱効果が欲しい場合には、抱き枕１の収納部４のある側を体に触れさせて使用すればよいので、温度調整体８を抱き枕１の内部に収蔵させるものと比べて、隔靴掻痒感もなく、使い勝手もよく、実用的価値が極めて高い。
【００１５】
また、本実施形態のように収納部４を伸び縮み可能なポケット４として構成すれば、収納される発熱体８ａや冷却体８ｂの寸法に大小があっても、その寸法差を吸収することができ、収納部４の収納許容量を増やすことができる。また、このようなものでは、収納部４内の収納物を抑え付けるような力が作用するので、収納物の保持性を向上させることができる。また、収納部４に伸縮性を有するように縫い縮め６（いわゆる、シャーリング加工）を施せば見栄えを向上させることができる。
更に、収納部４を示温材料を含んだ構成にしたものでは、収納部４に収納されている温度調整体８に手などを触れなくても、収納部４の色を見れば、おおよその温度を認識でき、使用に際して適温であるかどうかを判断することができるので頗る便利である。
また、抱き枕１を、抱き枕本体２と、抱き枕本体２を収納する抱き枕カバー３とで構成し、抱き枕本体２側か抱き枕カバー３側のいずれかに収納部４を設けたものでは、それぞれについて洗浄、交換などができ、便利である。
【００１６】
なお、本実施形態では、抱き枕１を、抱き枕本体２と抱き枕カバー３とにより構成した例を示しているが、この態様に限定されない。抱き枕１を抱き枕本体２のみで構成し、抱き枕本体３の外面側に収納部４を設けるようにしてもよい。
【００１７】
図３は、本考案の使用例を示している。この例では、抱き枕１は、人が抱え易いように流線型になっている。
【符号の説明】
【００１８】
１    抱き枕
２    抱き枕本体
３    抱き枕カバー
４    ポケット（収納部）
５    開閉機構
８    温度調整体
８ａ  発熱体
８ｂ  冷却体
【図１】
0003185823.tif 000003
【図２】
0003185823.tif 000004
【図３】
0003185823.tif 000005
【図４】
0003185823.tif 000006